(57)【特許請求の範囲】
【請求項１】
壁面に固定され、上部、左側部および右側部にそれぞれ前向きに折れ曲がる上面部、左側面部および右側面部を有した取付板と、
前面側に、レーザービームを前方に出射して不審者の侵入を検出するセンサを取り付け、裏面側に、前記センサに接続されるリード線を収容する箱状の収容部を形成し、前記収容部を前記取付板の外側に被せた状態で当該取付板に固定される基体と、を備え、
前記収容部の上下方向長さを、前記取付板の上下方向長さよりも長く設定し、
前記取付板には、当該取付板の前面の下端部に位置し、前記基体の前記収容部の下面部に形成されるリード線通し部を通して前記収容部の内外に出し入れされるリード線を保持するためのリード線保持部を設けると共に、前面側の上下方向に隔たった３部位に、上から順に第１の被係合部、ねじ孔および第２の被係合部を設け、
前記基体には、前記収容部に位置し、前記取付板の前記第１の被係合部および第２の被係合部にそれぞれ上方から係合する第１の係合部および第２の係合部を設けると共に、前記取付板の前記ねじ孔に螺着される固定用ねじを通すための通し孔を設け、
前記基体を前傾姿勢にして前記収容部の下端部を前記取付板の下端部分の外側に被せるようにして前記収容部の下面部を前記リード線保持部を含む前記取付板の下端部に当て、当該取付板の下端部を支点に前記基体を前記壁面に当たるまで後側へ回動させて前記収容部を前記取付板の外側に被せたとき、前記収容部の前記第１の係合部および第２の係合部がそれぞれ前記取付板の前記第１の被係合部および第２の被係合部の上に位置し、この状態で前記基体を下方に移動させることにより、前記収容部の上面部が前記取付板の前記上面部に当接して前記基体が前記取付板の前記上面部に受けられ、且つ、前記第１の係合部と第２の係合部が前記第１の被係合部と第２の被係合部にそれぞれ係合すると共に、前記基体の前記通し孔が前記取付板の前記ねじ孔に合致して前記固定用ねじを前記通し孔に通し前記ねじ孔に螺着可能となるように構成したことを特徴とするセキュリティ装置。
【発明の詳細な説明】
【技術分野】
【０００１】
本発明は、レーザービームを出射して不審者の侵入を検出するセキュリティ装置に関する。
【背景技術】
【０００２】
この種のセキュリティ装置は、建物の外壁面に取り付けられ、センサからレーザービームを前方に出射して建物に侵入しようとする不審者を検出する。セキュリティ装置の壁面への取り付けは、セキュリティ装置を取付板と、センサを取り付けた基体とから構成し、そして、取付板を壁面に固定した後、この取付板に基体をねじによって固定するというものである。
【０００３】
上記基体の裏面側は箱状に形成されており、基体を取付板に取り付ける際、箱状部分を取付板の外側に被せる、逆に言えば、取付板を箱状部分の内側に嵌め入れた状態にして基体を取付板に取り付けるようにしており、この箱状部分の取付板への嵌め合わせによって基体が正規の姿勢で壁面に固定されるようにしている。
【０００４】
なお、セキュリティ装置における基体の取り付け構成とは無関係であるが、特許文献１には、住宅情報盤を壁面に取付具本体を介して固定する構成が記載されている。これは、壁面に固定される取付具本体の上下両側に下向きに開放する係合孔を形成し、住宅情報盤の背面に取付具本体を嵌め入れる凹状部を形成し、この凹状部内に、上下両側に上向きの突起爪を有したフレームを上下動可能に設けて当該フレームをばねで常時上方に付勢し、取付具本体を壁面に固定した後、住宅情報盤の背面の凹状部を取付具本体に嵌合させるように住宅情報盤を押し込めると、フレームの突起爪が係合孔内に係入し、この突起爪と係合孔との係合によって住宅情報盤が取付具本体に固定されるというものである。
【先行技術文献】
【特許文献】
【０００５】
【特許文献１】特許第３０８９５２１号公報
【発明の概要】
【発明が解決しようとする課題】
【０００６】
上に述べたセキュリティ装置の基体の取り付け構成では、基体の裏側の箱状部分を取付板の外側に被せるから、当然、基体は取付板よりも大形である。このため、壁面に固定された取付板に基体の箱状部分を被せる際、取付板が大形の基体に隠されてしまって見難く、作業し難い。しかも、ねじで基体を取付板に固定するまでの間、基体を片方の手で支えながら残る片方の手でねじを締めつける作業を行わなければならない。特に、最近では基体にセンサの他、前方を撮影するためのカメラやタグと通信する通信機を取り付ける傾向がある。このようにセンサの他にカメラや通信機を取り付けると、基体が相当重くなり、この重い基体を手で支えながら取付板にねじで固定してゆく作業は一層困難なものになる。
【０００７】
本発明は上記の事情に鑑みてなされたもので、その目的は、基体の裏側の箱状の部分を壁面に固定された取付板に被せる際、その作業がし易く、また、基体をねじで取付板に固定する際、基体を手で支えている必要がなく、基体が重い場合でも、基体をねじで取付板に固定する作業を楽に行うことができるセキュリティ装置を提供することにある。
【課題を解決するための手段】
【０００８】
本発明では、壁面に固定された取付板に、センサを取り付けた基体を固定する際、基体を前傾姿勢にして当該基体の裏側の箱状の収容部の下端部内側を取付板の下端部分の外側に被せるようにして収容部の下面部を、リード線保持部を含む取付板の下端部に当て、そして、取付板の下端部を支点に基体を壁面に当たるまで後側へ回動させることで、収容部を取付板の外側に被せることができる。このため、基体が取付板よりも大形であっても、基体を前傾姿勢にすることで基体と壁面との間に隙間ができるから、その隙間を通して基体の裏面側の収容部と取付板を見ながら、収容部の下端部分を取付板の下端部分の外側に被せることができる。その後は、取付板の下端部分を支点に基体を壁面に当たるまで後側へ回動させれば、収容部の全体が自然に取付板の外側に被さるようになる。
【０００９】
また、取付板の下端部分を支点に基体を壁面に当たるまで後側へ回動させた後、基体を下方に移動させると、収容部の上面部が取付板の上面部に当接して基体が取付板の上面部に受けられ、且つ基体の第１の係合部と第２の係合部が取付板の第１の被係合部と第２の被係合部にそれぞれ係合するので、基体を仮止め状態にすることができる。この状態では、基体にセンサの他、カメラや通信機が取り付けられて重くなっていても、その重い基体を手で支えていなくとも済む。その後、ねじを基体の通し孔に通してねじ孔に螺着することで基体を取付板に固定することができる。
【００１０】
そして、この固定状態では、固定用ねじだけでなく、第１の係合部と第１の被係合部との係合、第２の係合部と第２の被係合部との係合により、固定用ねじから上方に隔たった部位と、固定用ねじから下方に隔たった部位でも基体が取付板に固定された状態となるので、少ない本数の固定用ねじで基体を取付板に固定することができる。
【図面の簡単な説明】
【００１１】
【図１】本発明の一実施形態を示す要部の縦断側面図
【図２】基体を取付板に被せた状態で示す要部の縦断側面図
【図３】基体の下端部を取付板の下端部に当てた状態で示す要部の縦断側図
【図４】基体を裏側から見た斜視図
【図５】取付板を表側から見た斜視図
【図６】セキュリティ装置の正面図
【図７】セキュリティ装置の側面図
【図８】本発明の他の実施形態を示す図４相当図
【図９】図５相当図
【発明を実施するための形態】
【００１２】
以下、本発明の一実施形態につき図１〜図７を参照しながら説明する。図６および図７に示すように、セキュリティ装置１は、建物の外壁面２に取り付けられ、前方の検出エリア内への侵入者の検出機能の他、検出エリア内の撮影機能および侵入者の電波による個体識別機能を有する。なお、セキュリティ装置１において、前後（表裏）は外壁面２に取り付けられた状態で外壁面２側となる側を後（裏）とし、その反対側を前（表）とする。また、左右は、セキュリティ装置１を前側から見たとき、左手側を左、右手側を右とする。
【００１３】
検出エリア内への侵入者の検出は、センサ３によって行われる。このセンサ３は、周知のように、前方の検出エリアに向けてレーザービームを水平に出射し、その反射光を検出することによって検出エリア内への不審者の侵入を検出する。また、検出エリア内の撮影はカメラ４によって行われ、その撮影画像は建物内に設置されたモニター（図示せず）に表示される。侵入者の電波による個体識別はタグリーダ（通信機）５によって行われる。このタグリーダ５は、センサ３により検出エリア内へ何者かが侵入したことが検出されると、ＲＦＩＤタグと通信する電波を出力し、応答電波を受信しないときは、不審者が侵入したと判定し、予め登録されたＩＤ情報をもったＲＦＩＤタグから応答電波を受信したときは、侵入者は予め登録された人物であって不審者ではないと判定する。これらセンサ３、カメラ４およびタグリーダ５には、それらの機能を損なわない範囲でカバー６が着脱可能に装着されている。
【００１４】
セキュリティ装置１は、図５に示す取付板７と、図４に示す基体８とから構成され、取付板７は外壁面２にねじ（図示せず）によって固定されている。そして、基体８には、下から順にセンサ３、カメラ４およびタグリーダ５が上下３段に並べて取り付けられるようになっており、基体８は、これらセンサ３、カメラ４およびタグリーダ５を取り付けた後、外壁面２に固定されている取付板７に固定用ねじ９によって固定される。
【００１５】
図６および図７に示すように、外壁面２にはチューブ１０が敷かれており、当該チューブ１０の先端は基体８の下端部に連結されている。このチューブ１０内には、電源、建物内に設置された制御装置やモニターなどに接続された電源線や信号線などの複数本の配線用リード線１１（図１参照）が通されている。リード線１１は、チューブ１０から基体８の裏側に導入され、基体８の上下方向中間部に形成された引出孔１２（図４参照）から前側に導出される。
【００１６】
そして、図示はしないが、基体８の前面には、例えばカメラ４の下側に位置して配線板が取り付けられており、基体８の前側に導出されたリード線１１は当該配線板に接続される。配線板とセンサ３、カメラ４およびタグリーダ５とはコネクタによって接続されるようになっている。
【００１７】
さて、基体８を取付板７に固定するための構成つき説明するに、まず、取付板７は金属板、例えばステンレス鋼板からなる上下に長い矩形状のもので、上部（上端部）、左側部および右側部にそれぞれ前向きに直角に折れ曲がる上面部１３、左側面部１４および右側面部１５が形成されている。そして、取付板７の前面の下端部および上下両端間の途中部には、基体８の裏側に導入されたリード線１１を保持するための下リード線保持部１６および上リード線保持部１７が設けられている。この下リード線保持部１６および上リード線保持部１７は、それぞれクランク状に曲げられた長短２本の金属帯板１６ａ，１６ｂおよび１７ａ，１７ｂを取付板６に溶接して構成され、それら金属帯板１６ａ，１６ｂおよび１７ａ，１７ｂと取付板６の前面との間には狭い空間Ｇが形成されている。また、２本の金属帯板１６ａ，１６ｂおよび１７ａ，１７ｂの先端間は離されていて、リード線１１を空間Ｇ内に前側から入れるための隙間を形成している。
【００１８】
下リード線保持部１６を構成する金属帯板１６ａ，１６ｂの下側面は取付板６の下端面と面一になっている。この実施形態では、取付板６の左側面部１４および右側面部１５の下端も取付板６の下端面と面一になっており、従って、下リード線保持部１６を構成する金属帯板１６ａ，１６ｂの下側面は取付板６の下端面とは勿論、左側面部１４および右側面部１５の下端面とも面一になっている。
【００１９】
取付板７の上面部１３には、左右両側に位置して一対の第１の被係合部としての係合孔１８が形成されている。取付板７の左側面部１４および右側面部１５の上下２部位には切欠部１９，２０が存在しており、それら左側面部１４および右側面部１５の前端には、両切欠部１９，２０間に位置して一対の取付片２１が内側に折り曲げて形成されている。そして、この取付片２１には、前記固定用ねじ９を螺合させるねじ孔２２が形成されている。更に、左側面部１４および右側面部１５には、下側の切欠部２０の下縁相当部分の前半側に位置して、第２の被係合部としての係合爪片２３が内側に屈曲させて斜め上向きに突出した状態に設けられている。以上のようにして、取付板７の前面側の上下方向に隔たった３部位には、上から順に、係合孔１８、ねじ孔２２および係合爪片２３が設けられているのである。
【００２０】
このような取付板７に対し、基体８は例えばプラスチック製で、取付板７よりも大形の上下に長い矩形状に形成されている。この基体８は、センサ３とカメラ４を取り付ける部分を下支持板部２４、タグリーダ５を取り付ける部分を上支持板部２５としており、そのうち、下支持板部２４の上下左右の四周縁部には、それぞれ後方に突出する上下左右の各側板２６〜２９が形成されている。そして、この下支持板部２４の四周縁部にそれぞれ存する側板２６〜２９によって下支持板部２４の後側は箱状に形成され、この箱状部は前記リード線１１を収容（導入）する収容部３０とされている。
【００２１】
なお、上支持板部２５は下支持板部２４よりも一段後方に位置されて収容部３０の上側板２６の後端部から上方に延長して設けられている。また、下支持板部２４は、上下方向の途中部から下方に向かって次第に後退するように傾斜しているが、下端部分は前方に膨出しており、この結果、収容部３０の下端部分は直ぐ上の部分よりも前方への奥行きが大きくなっている。
【００２２】
収容部３０の下側板２７には、左右方向に複数のＵ字状の薄肉部２７ａが設けられており、この薄肉部２７ａを切除することによって前記リード線１１のチューブ１０の先端部を嵌め込むための切欠部が形成されるようにしている。
このような収容部３０の左右方向の内寸法（左側板２８の内面と右側板２９の内面との間隔寸法）は、取付板７の左右方向の外寸法（左側面部１４の外面と右側面部１５の外面との間隔寸法）と同じか少し大きく定められていると共に、上下方向の内寸法（上側板２６の内面と下側板２７の内面との間隔寸法）は、取付板７の上下方向の外寸法（上側面板１３の外面と取付板７の下端との間隔寸法）よりも所定寸法以上長く定められている。従って、収容部３０を取付板７の外側に被せること、換言すれば取付板７を収容部３０内に嵌め込むことが可能で、且つ、この収容部３０を取付板７の外側に被せた状態で、基体８を上下に前記所定寸法分だけ動かし得るようになる。
【００２３】
このような収容部３０には、上側板２６の内面の左右両側に第１の係合部としての一対の嵌合突部３１が突設されている。また、下支持板部２４の裏面には、収容部３０内の上下方向中間部の左右両側に位置して一対の円形ボス部２４ａが突設されている。これらボス部２４ａには、前記固定用ねじ９を通すための通し孔３２が形成されている。更に、下支持板部２４の裏面には、ボス部２４ａ（通し孔３２）よりも下方の左右両側に位置して一対の係合突部３３が突設されている。この係合突部３３は、下支持板部２４との間に挿入溝３３ａを形成した挟持部３３ｂを有している。挟持部３３ｂは下向きに突出し、従って、挿入溝３３ａは下向きに開放している。
【００２４】
これら基体８側の嵌合突部３１、通し孔３２、係合突部３３と、取付板７側の係合孔１８、ねじ孔２２、係合爪片２３との位置関係は、基体８の収容部３０の下側板２７を取付板７の左側面部１４、右側面部１５の下端面および下リード線保持部１６の下側面に当てた状態で収容部３０を取付板７の外側に完全に被せたとき、基体８側の嵌合突部３１が取付板７側の係合孔１８の直ぐ上に位置すると共に、係合突部３３の挿入溝３３ａが係合爪片２３の直ぐ上に位置し、その後、収容部３０の上側板２６が取付板７の上面部１３に当たるまで基体８を下方に移動させると、透し孔３２がねじ孔２２に合致する位置関係となるように定められている。
【００２５】
なお、前述のように収容部３０の上下方向の内寸法は取付板７の上下方向の外寸法よりも所定寸法以上長く定められているが、その所定寸法は、嵌合突部３１との関係で述べると、収容部３０の嵌合突部３１の下方への突出寸法と同等で、これにより収容部３０の下側板２７を取付板７の左側面部１４、右側面部１５の下端面および下リード線保持部１６の下側面に当てた状態で収容部３０を取付板７の外側に完全に被せる際、嵌合突部３１が取付板７の上面部１３に当たることなく、上面部１３の上に位置し得るようになる。
【００２６】
次に、基体８を外壁面２に取り付ける手順を説明する。まず、外壁面２に取付板７を図示しないねじにより固定する。また、基体８の前面側にセンサ３、カメラ４およびタグリーダ５を取り付ける。そして、収容部３０の下側板２７の薄肉部２７ａを切除して切欠部を設けておく。
【００２７】
その後、チューブ１０から引き出されたリード線１１を基体８の後側から引出孔１２に通して前側に引き出し、配線板に接続する。そして、リード線１１を下リード線保持部１６の空間Ｇ内に２本の金属帯板１６ａ，１６ｂ間の隙間から差し入れて当該リード線１１を下リード線保持部１６に保持させると共に、同様にしてリード線１１を上リード線保持部１７に保持させる。
【００２８】
続いて、基体８を手に持って図３に示すように前傾させ、この前傾状態で、チューブ１０を下側板２７の薄肉部２７ａを切除して形成した切欠部に嵌め込むようにして収容部３０の下端部分を取付板７の下端部分の外側に被せる。このとき、基体８が前傾状態にあるから、基体８と外壁面２との間には隙間が生じ、この隙間から収容部３０の下端部分を覗き見ることができるので、基体８が取付板７よりも大形であっても、取付板７の下端部分に収容部３０の下端部分を被せる作業を比較的容易に行うことができる。なお、リード線１１は図１のみに示し、他の図には示していない。また、薄肉部２７ａを切除して生ずる切欠部も図示はしていない。
【００２９】
次に、収容部３０の下面部である下側板２７を、下リード線保持部１６を含む取付板７の下端部、即ち、取付板７の左側面部１４、右側面部１５の下端面および下リード線保持部１６の下側面に当て、この当てた部分を支点にして基体８を後側に倒すように回動させる。そして、図２に示すように、基体８の上支持板部２５の周縁のリブ部２５ａ、下支持板部２４の上側板２６、下側板２７、左側板２８、右側板２９の後端が外壁面２に、下支持板部２４のボス部２４ａが取付板７の取付片２１に、係合突部３３が取付板７の前面に当たるまで回動させると、収容部３０が取付板７の外側に完全に被さった状態となる。
【００３０】
その後、基体８を収容部３０の上側板２６が取付板７の上面部１３に当たるまで下方に移動させる。すると、図１に示すように、基体８の嵌合突部３１が取付板７の係合孔１８に嵌入（嵌合）して係合孔１８の前側の内周面に接触する（係合）と共に、基体８の係合突部３３の挿入溝３３ａ内に取付板７の係合爪片２３を侵入させて挟持部３３ｂの前面に接触させ（係合）、且つ、通し孔３２がねじ孔２２に合致するようになる。
【００３１】
なお、本実施形態では、嵌合突部３１は取付板７の前面にも接触して係合孔１８の前側の内周面と取付板７との間に挟まれた状態になっていると共に、挟持部３３ｂは取付板７の前面にも接触して係合爪片２３と取付板７との間に挟み付けられた状態になっている。しかし、下支持板部２４の上側板２６、下側板２７、左側板２８、右側板２９の後端が外壁面２に当接しているので、嵌合突部３１、挟持部３３ｂは特に取付板７の前面に接触していなくとも良い。
【００３２】
そして、基体８の上側板２６が取付板７の上面部１３に当たるまで下方に移動させた状態では、基体８は、収容部３０の上側板２６が取付板７の上面部１３の上に載せられることで取付板７に支えられ、且つ、嵌合突部３１の係合孔１８への嵌合および係合突部３３の係合爪片２３への係合により、取付板７に仮固定された状態となる。
【００３３】
そして、この仮固定状態で、固定用ねじ９を通し孔３２に通してねじ孔２２に螺着する。これにより基体８が取付板７に本固定される。
以上のように本実施形態によれば、基体８の収容部３０の左右方向の内寸法が取付板７の左右方向の外寸法と同じか少しだけ大きく（上記内寸法と外寸法とは同程度に）定められているので、基体８の収容部３０を取付板７の外側に被せることで基体８の左右方向の位置決めをすることができる。
【００３４】
そして、この収容部３０を取付板７の外側に被せる場合、基体８が取付板７よりも大形で取付板７が見難いという事情があっても、基体８の収容部３０を前傾させて下端部分を取付板７の下端部分の外側に被せる際、前傾状態の基体８と外壁面２との隙間から収容部３０と取付板７の下端部分を除き見ることができるので、その作業を容易に行うことができ、その後は、基体８を収容部３０の下端部分を取付板７の下リード線保持部１６に当てて当該部分を支点にして後に回動させれば、自然に収容部３０を取付板７の外側に被せることができるので、基体８を取付板７に被せる作業が容易となる。
【００３５】
しかも、基体８を取付板７に被せた後は、基体８を押し下げることで、上側の嵌合突部３１が係合孔１８に嵌合し、且つ、下側の係合突部３３も係合爪片２３に係合するので、基体８の上下両側が取付板７に仮固定状態となり、上側だけ、或いは下側だけが仮固定となる不完全な仮固定状態が防止される。
【００３６】
そして、固定用ねじ９をねじ孔２２に螺着する作業を行う場合、基体８を手で支えておく必要がなく、基体８にセンサ３の他にカメラ４、タグリーダ５が取り付けられていて重いという事情があっても、楽に基体８を固定用ねじ９で取付板７に固定できる。この固定状態では、固定用ねじ９の上側が嵌合突部３１の係合孔１８への嵌合により固定され、下側が係合突部３３の係合爪片２３との係合により固定されるので、固定用ねじ９の上下両側が取付板７から浮いたりせず、この結果、より少ない本数の固定用ねじ９によって基体８を取付板７に固定することができる。
【００３７】
なお、本発明は上記し且つ図面に示す実施形態に限定されるものではなく、以下のような拡張或いは変更が可能である。
カメラ４、タグリーダ５はなくとも良い。
係合孔１８は、図９に示すように取付板７の前面に溶接により固定した突片３４に形成し、嵌合突部３１は、図８に示すように基体８の下支持板部２４の裏面に形成しても良い。
ねじ孔２２は、図９に示すように取付板７の表面に溶接により固定した座板３５に形成しても良い。
係合爪片２３は、図９に示すように取付板７の表面に溶接に固定した突片３６に形成しても良い。
【００３８】
下リード線保持部１６、上リード線保持部１７は、それぞれ２本の帯状金属板１６ａ，１６ｂおよび１７ａ，１７ｂを取付板７の左側面部１４、右側面部１５に溶接により固定して構成しても良いし、また、図９に示すように左側面部１４、右側面部１５に折り曲げによって一体に形成するようにしても良い。
係合孔１８、ねじ孔２２、係合爪片２３、嵌合突部３１、通し孔３２、係合突部３３は中央部にそれぞれ１つだけ設けるようにしても良い。
取付板７の左側面部１４および右側面部１５の下端面は、取付板７の下端まで延びて当該取付板７の下端面と必ずしも面一である必要はなく、取付板６の下端面よりも上に止まった形態であっても良い。この場合には、前傾姿勢の基体８の下側板２７は、下リード線保持部１６の下側面に当てて後側へ回動させる。
【００３９】
前傾姿勢の基体８の下側板２７を取付板７の下端部に当てて後側へ回動させるとき、上支持板部２５のリブ部２５ａは特に外壁面２に当接しなくとも良い。また、下支持板部２４の上側板２６、下側板２７、左側板２８、右側板２９の後端が外壁面２に当接せず、ボス部２４ａが取付片２１に、係合突部３３が取付板７の前面に当たるだけでも良い。
【符号の説明】
【００４０】
図面中、２は建物の外壁面、３はセンサ、４はカメラ、５はタグリーダ、７は取付基体、８は基体、９は固定用ねじ、１１はリード線、１３は上側部、１４は左側面部、１５は右側面部、１６は下リード線保持部、１７は上リード線保持部、１８は係合孔（第１の被係合部）、２２はねじ孔、２３は係合爪片（第２の被係合部）、３０は収容部、３１は嵌合突部（第１の係合部）、３２は通し孔、３３は係合突部（第２の係合部）を示す。
【図１】
0005601293.tif 000002
【図２】
0005601293.tif 000003
【図３】
0005601293.tif 000004
【図４】
0005601293.tif 000005
【図５】
0005601293.tif 000006
【図６】
0005601293.tif 000007
【図７】
0005601293.tif 000008
【図８】
0005601293.tif 000009
【図９】
0005601293.tif 000010